(57)【要約】【課題】簡易な構成で、レンズホルダをトラッキング方向しても、対物レンズの光軸をほぼ一定に維持することができる光ヘッド装置を提供する。【解決手段】対物レンズ２を保持するレンズホルダ３に配設されたフォーカシング駆動コイル１１を駆動マグネット１３に対向させて配置すると共に、レンズホルダ３のトラッキング方向の両側に略開磁路を構成する一対の補正マグネット１４を対向させて配設する。レンズホルダ３がトラッキング方向に移動したときに、補正マグネット１４とフォーカシング駆動コイル１１との間隔に応じて補正力が変化して対物レンズ２の光軸をほぼ一定に維持させる。【選択図】      図１
2004326914.tif 000002
【特許請求の範囲】
【請求項１】
光源からの出射光を光記録媒体に収束させる対物レンズを保持するレンズホルダと、このレンズホルダをトラッキング方向とフォーカシング方向に移動可能に支持するホルダ支持部材と、前記レンズホルダに配設されたトラッキング駆動コイルおよびフォーカシング駆動コイルと、これら駆動コイルに対向する位置に配設されて前記駆動コイルと磁気駆動回路を構成する駆動マグネットとを有する光ヘッド装置であって、
前記フォーカシング駆動コイルは、前記駆動マグネットを対向させて配置すると共に、前記レンズホルダのトラッキング方向の両側に配設した略開磁路を構成する一対の補正マグネットに対向させたことを特徴とする光ヘッド装置。
【請求項２】
前記フォーカシング駆動コイルは、環状に巻回して４辺を形成し、このうちの少なくとも１辺に前記駆動マグネットを対向させて配設し、前記１辺と直角な２辺に一対の前記補正マグネットを対向して配設した請求項１に記載の光ヘッド装置。
【請求項３】
前記駆動マグネットおよび一対の前記補正マグネットは、対向面の中心を無駆動状態における前記フォーカシング駆動コイルの駆動中心にほぼ一致させて配設された請求項１および２に記載の光ヘッド装置。
【請求項４】
前記レンズホルダは、所定のバネ定数を有する複数本のワイヤによりトラッキング方向とフォーカシング方向に移動可能に支持された請求項１乃至３に記載の光ヘッド装置。
【発明の詳細な説明】
【０００１】
【発明の属する技術分野】
本発明は、ＣＤやＤＶＤなどの光記録ディスクの記録、再生等に用いられる光ヘッド装置に関するものである。更に詳しくは、対物レンズをトラッキング方向とフォーカシング方向に移動可能に支持する対物レンズ駆動機構に関する。
【０００２】
【従来の技術】
ＣＤやＤＶＤなどの光記録ディスクの情報記録、情報再生等に用いられる光ヘッド装置では、対物レンズを保持したレンズホルダをワイヤ或いは固定軸によって支持し、対物レンズをトラッキング方向とフォーカシング方向に駆動するワイヤサスペンション方式或いは軸摺動方式が知られている。これら各方式の光ヘッド装置は、対物レンズを保持しているレンズホルダと、このレンズホルダを支持しているレンズホルダ支持部材と、レンズホルダをトラッキング方向とフォーカシング方向に駆動するための磁気駆動機構を有している。磁気駆動機構は、レンズホルダの側面にフォーカシング駆動コイル、および、トラッキング駆動コイルを備え、レンズホルダ支持部材に設けたトラッキング・フォーカシング駆動マグネットとを備えている。
【０００３】
図７は、ワイヤサスペンション方式の光ヘッド装置における対物レンズ駆動機構の要部を示している。対物レンズ１００を保持したレンズホルダ１０１は、トラッキング方向Ｔｒとフォーカシング方向Ｆｏに移動可能に支持する４本のワイヤ１０２、１０３、１０４、１０５は、２本を組として、基端側がレンズホルダ支持部材に固定され、先端側がレンズホルダ１０１のトラッキング方向両側に各々２本づつ固定されている。そして、これらワイヤ１０２、１０３、１０４、１０５を通じてフォーカシング用駆動コイル１０６、および、トラッキング用駆動コイル１０７に所定の電流を通電するように構成されている。
【０００４】
レンズホルダ１０１は略立方体状に形成され、このレンズホルダ１０１の胴部周囲にはフォーカシング駆動コイル１０６が環状に巻回されて４辺を形成している。このうちの相対向する一方の２辺１０８には、トラッキング・フォーカシング駆動マグネット１０９を対向させている。また、一方の２辺１０８には一対のトラッキング駆動コイル１０７が配設され、トラッキング・フォーカシング駆動マグネット１０９に対向させている。４本のワイヤ１０２、１０３、１０４、１０５を通じてフォーカシング駆動コイル１０６、および、トラッキング駆動コイル１０７に所定の電流を通電することにより、対物レンズ１００を保持したレンズホルダ１０１をトラッキング方向Ｔｒとフォーカシング方向Ｆｏに移動させるようにしている。
【０００５】
【発明が解決しようとする課題】
レンズホルダ１０１をフォーカシング方向Ｆｏに移動させるために、フォーカシング駆動コイル１０６に所定の電流を通電すると、トラッキング・フォーカシング駆動マグネット１０９との磁気的作用によって、フォーカシング駆動コイル１０６は、例えば図７の矢示のように上方向に移動する。
【０００６】
一方、トラッキング駆動コイル１０７に制御信号に応じた電流を通電すると、レンズホルダ１０１は例えば図８に示すように距離ａだけ左方に移動する。この状態からフォーカシング駆動コイル１０６に電流を通電すると、上方向に移動するが、このとき、フォーカシング駆動コイル１０６の中心が左方にずれているため、右方側に上昇させる駆動力が発生する。特に、対物レンズ１００を保持したレンズホルダ１０１をワイヤ１０２、１０３、１０４、１０５によって支持したワイヤサスペンション方式の光ヘッド装置においては、レンズホルダ１０１が、図８に示すように、二点差線で示す本来の姿勢から、実線で示す傾斜した姿勢になることから、対物レンズ１００の光軸１１１にチルト角θが生じてしまう。
【０００７】
このように対物レンズ１００にチルト角θが発生している状態では、フォーカシング方向Ｆｏが変位すると共にトラッキング方向Ｔｉも変位するため、フォーカシングの異常とトラッキングの異常が発生する問題が生ずる。その結果、対物レンズ１００をフォーカシング方向Ｆｏとトラッキング方向Ｔｉに移動して修正するための複雑かつ応答速度を大幅に高めた高度な制御が必要になる。
【０００８】
そこで、本発明は、簡易な構成で、レンズホルダをトラッキング方向しても、対物レンズの光軸をほぼ一定に維持することができる光ヘッド装置を提供することを目的とする。
【０００９】
【課題を解決するための手段】
上記目的を達成するために、本発明の請求項１記載の光ヘッド装置は、光源からの出射光を光記録媒体に収束させる対物レンズを保持するレンズホルダと、このレンズホルダをトラッキング方向とフォーカシング方向に移動可能に支持するホルダ支持部材と、前記レンズホルダに配設されたトラッキング駆動コイルおよびフォーカシング駆動コイルと、これら駆動コイルに対向する位置に配設されて前記駆動コイルと磁気駆動回路を構成する駆動マグネットとを有する光ヘッド装置であって、前記フォーカシング駆動コイルは、前記駆動マグネットを対向させて配置すると共に、前記レンズホルダのトラッキング方向の両側に配設した略開磁路を構成する一対の補正マグネットに対向させたことを特徴としている。
【００１０】
かかる請求項１記載の光ヘッド装置によれば、フォーカシング駆動コイルのトラッキング方向の両側に、略開磁路を構成する一対の補正マグネットを対向させて配設すると、レンズホルダがトラッキング方向に移動した状態でフォーカシング駆動コイルに通電しても、近接した側の補正マグネットとの磁気的作用によって、フォーカシング駆動と同様にレンズホルダを同じ方向に移動させるように補正され、対物レンズの光軸をほぼ一定に維持することができる。また、補正マグネットを開磁路に構成していることから、フォーカシング駆動コイルとの間隔に応じて補正力が変化するので、レンズホルダのトラッキング方向への移動量に応じて適正に補正することができる。さらに、一対の補正マグネットを対向させて配設するだけであり、簡易かつ安価に構成することができる。
【００１１】
また、請求項２記載の光ヘッド装置は、前記フォーカシング駆動コイルは、環状に巻回して４辺を形成し、このうちの少なくとも１辺に前記駆動マグネットを対向させて配設し、前記１辺と直角な２辺に一対の前記補正マグネットを対向して配設したことを特徴としている。
【００１２】
かかる請求項２記載の光ヘッド装置によれば、フォーカシング駆動コイルを環状に巻回して略平面状の４辺を形成するので、トラッキング駆動コイルによりレンズホルダをトラッキング方向に移動しても、面対向している駆動マグネットと補正マグネットとの磁気的作用をほぼ均一にすることができる。
【００１３】
更に、請求項３記載の光ヘッド装置は、前記駆動マグネットおよび一対の前記補正マグネットは、対向面の中心を無駆動状態における前記フォーカシング駆動コイルの駆動中心にほぼ一致させて配設させたことを特徴としている。
【００１４】
かかる請求項３記載の光ヘッド装置によれば、前記駆動マグネットと一対の前記補正マグネットの中心を無駆動状態におけるフォーカシング駆動コイルの中心にほぼ一致させて配設すると、レンズホルダをトラッキング方向に移動しても、フォーカシング駆動コイルに面対向している駆動マグネットと補正マグネットとの磁気的作用を両方に対してほぼ均一になり、非対称な補正を未然に防止することができる。
【００１５】
更にまた、請求項４記載の光ヘッド装置は、前記レンズホルダは、所定のバネ定数を有する複数本のワイヤによりトラッキング方向とフォーカシング方向に移動可能に支持されたことを特徴としている。
【００１６】
かかる請求項４記載の光ヘッド装置によれば、対物レンズを保持したレンズホルダを複数本のワイヤによって支持したワイヤサスペンション方式の光ヘッド装置においては、対物レンズの光軸を保持する機構がないことから、レンズホルダのトラッキング方向への移動量に応じてそのまま傾斜し、対物レンズの光軸にチルト角を発生させてしまうが、近接した側の補正マグネットとの磁気的作用により、レンズホルダをフォーカシング駆動と同方向に移動させるように補正するので、ワイヤサスペンション方式の光ヘッド装置対物レンズの光軸をほぼ一定に保持することができる。
【００１７】
【発明の実施の形態】
以下、本発明にかかる光ヘッド装置の一実施形態を図面に基づいて説明する。
【００１８】
光ヘッド装置は、ＣＤ或いはＤＶＤなどの光記録ディスクに対する情報記録、情報再生を行うものであり、レーザ光源から出射されたレーザ光をハーフミラーで反射し、対物レンズで集光させて光記録ディスクの情報記録面に焦点を結ぶように構成されている。光記録ディスクで反射した光は、対物レンズおよびハーフミラーを通過して光検出器に入射させ、この光検出器の受光する光信号に基づいて情報再生処理が行われる。また、光検出器から出力信号に基づいて、対物レンズ駆動機構を駆動制御して対物レンズのトラッキング方向とフォーカシング方向の位置や角度をサーボ制御する一方、レーザ光源を駆動制御する。上記対物レンズは、例えば、図１に示すワイヤサスペンション方式の対物レンズ駆動機構によって駆動制御される。
【００１９】
図１および図２は、本形態における光ヘッド装置の対物レンズ駆動機構の第１の実施形態を示す斜視図である。対物レンズ駆動機構１は、対物レンズ２を保持しているレンズホルダ３と、レンズホルダ３を４本のワイヤ４、５、６（ワイヤ７は図示しない）で支持しているホルダ支持部材１０と、レンズホルダ３を矢印Ｔｒで示すトラッキング方向、および、矢印Ｆｏで示すフォーカシング方向に駆動するための磁気駆動機構を有している。ワイヤ４、５、６・・は、後述するフォーカシング駆動コイル１１、および、トラッキング駆動コイル１２へ通電するための電流路を構成している。
【００２０】
磁気駆動機構は、レンズホルダ３の対物レンズ２における光軸の回りとなる胴部周囲に環状に巻回して配設されたのフォーカシング駆動コイル１１と、フォーカシング駆動コイル１１の外面に貼付された４個の平面コイルからなるトラッキング用駆動コイル１２とを備えている。レンズホルダ３は図示のように略立方体に形成されていて、胴部周囲にフォーカシング駆動コイル１１が環状に巻回されている。このため、フォーカシング駆動コイル１１には平面状の４辺が形成される。このうちの相対向する一方の２辺１１ａ、１１ｂには、ホルダ支持部材１０に配設した一対のトラッキング・フォーカシング駆動マグネット１３を対向させている。さらに、一方の２辺１１ａ、１１ｂに直交する向きの他方の２辺１１ｃ、１１ｄには、ホルダ支持部材１０に配設した一対の補正マグネット１４を対向させている。
【００２１】
トラッキング・フォーカシング駆動マグネット１３は、ホルダ支持部材１０の底板から起立形成した一対の外ヨーク１５の内面に固着されている。また、ホルダ支持部材１０には、レンズホルダ３の内側であって外ヨーク１５の内面に対向する位置に内ヨーク１６が起立形成されている。
【００２２】
上記補正マグネット１４は、レンズホルダ３に対してトラッキング方向Ｔｒの外側でホルダ支持部材１０の底板から起立形成した外ヨーク１７の内面に固着されている。また、補正マグネット１４は、面方向にＮＳ極が着磁され、フォーカシング駆動コイル１１に対向する面には、一方をＮ極、他方をＳ極としている。この補正マグネット１４については、対向する内ヨークを存在させていない。従って、フォーカシング駆動コイル１１のみに対して磁気的に作用するように開磁路に構成している。
【００２３】
このように構成した対物レンズ駆動機構１において、フォーカシング駆動コイル１１はトラッキング・フォーカシング駆動マグネット１２と補正マグネット１４に対向させ、フォーカシング駆動コイル１１に所定の電流がワイヤを介して通電されることにより、レンズホルダ３をフォーカシング方向Ｆｏに駆動することができる。
【００２４】
トラッキング駆動コイル１３は、トラッキング・フォーカシング用駆動マグネット１３に対向していて、トラッキング駆動コイル１３に所定の電流がワイヤを介して通電されることにより、レンズホルダ３をトラッキング方向Ｔｒに駆動することができる。
【００２５】
対物レンズ２を保持するレンズホルダ３は、４本のワイヤ４、５、６・・により、トラッキング方向Ｔｒとフォーカシング方向Ｆｏに移動可能に支持されている。これらワイヤ４、５、６・・は、レンズホルダ３のトラッキング方向Ｔｒ外側の両側に各々２本を組として、ワイヤ４および６をレンズホルダ３のフォーカシング方向Ｆｏの上面側近傍に配置し、ワイヤ５および７を下面側近傍に配置している。
【００２６】
これらワイヤ４、５、６・・は、基端側をホルダ支持部材１０に対して垂直に取り付けた例えばプリント基板１８の配線パターンに半田等により各々固着されている。また、これらワイヤの先端側は、レンズホルダ３の前方側に設けた固定部１９、２０に固定すると共に、更に延長させてレンズホルダ３の前方側に貼設したプリント基板２１の配線パターンに半田等により各々接続している。ワイヤ４、５、６・・は、例えばベリリウム銅、リン青銅等の弾性を有する金属からなり、外径寸法を例えば０．０８乃至１．５ｍｍ程度の丸ワイヤが使用される。
【００２７】
また、図３に示すように、フォーカシング駆動コイル１１の一方の２辺１１ａおよび１１ｂは、無駆動状態においてトラッキング方向Ｔｒにおける駆動中心Ｏが、トラッキング・フォーカシング駆動マグネット１３のトラッキング方向Ｔｒにおける駆動中心とほぼ一致させるようにしている。さらに、フォーカシング駆動コイル１１の他方の２辺１１ｃおよび１１ｄの対向面の中心を補正マグネット１４の対向面の中心とほぼ一致させている。
【００２８】
図４（Ａ）（Ｂ）は、本発明による光ヘッド装置の動作状態を示している。図４（Ａ）は、トラッキング駆動コイル１３に制御信号に応じた電流を通電することによりレンズホルダ３をトラッキング方向Ｔｒに距離ａ１だけ左方に移動させた状態である。この状態からフォーカシング駆動コイル１１に制御信号に応じた電流を通電すると、レンズホルダ３は例えば上方向に移動するように駆動する。このとき、フォーカシング駆動コイル１１の対向面の中心が左方にずれているために、トラッキング・フォーカシング駆動マグネット１３に対向するフォーカシング駆動コイル１１の右方に駆動力が発生することによって上昇し、レンズホルダ３を傾斜させようとする。
【００２９】
一方、フォーカシング駆動コイル１１が左方に移動したことにより、フォーカシング駆動コイル１１の左方の辺１１ｃが開磁路を構成する補正マグネット１４に接近して間隔ｇ１が狭くなる。このため、上述したフォーカシング駆動コイル１１に通電する電流により、補正マグネット１４との間に磁気的作用が発生してフォーカシング駆動コイル１１の左方を上昇させる。この結果、フォーカシング駆動コイル１１の右方の上昇にともない、左方を補正マグネット１４によって上昇させるので、レンズホルダ３は傾斜することなく制御信号に応じたフォーカシング駆動を行うことができる。このように、レンズホルダ３が適正な姿勢に補正されることから、対物レンズ２の光軸も正常な状態に補正される。
【００３０】
また、レンズホルダ３を左方のトラッキング方向Ｔｒに距離ａ１だけ移動させたとき、フォーカシング駆動コイル１１の右方の辺１１ｄが補正マグネット１４から離間して間隔ｇ２が広くなる。この状態でフォーカシング駆動コイル１１に制御信号に応じた電流を通電しても、補正マグネット１４は、開磁路を構成しているため、補正マグネット１４との間に生ずる磁気的作用は無視できる程度に小さくなるので、レンズホルダ３の姿勢を変化させることはない。
【００３１】
補正マグネット１４を開磁路に構成していることから、フォーカシング駆動コイル１１の辺１１ｃ、１１ｄと各補正マグネット１４との間隔に応じて磁気的作用力が変化する。また、レンズホルダ３のトラッキング方向Ｔｒへの移動量に応じて、補正マグネット１４による補正量が変化するので、レンズホルダ３のトラッキング方向位置に関係なく適正な姿勢を維持することが可能となる。
【００３２】
図４（Ｂ）は、図４（Ａ）とは反対の状態を示し、トラッキング駆動コイル１３に制御信号に応じた電流を通電してレンズホルダ３をトラッキング方向Ｔｒに距離ａ２だけ右方に移動させた状態である。この状態からフォーカシング駆動コイル１１に制御信号に応じた電流を通電すると、フォーカシング駆動コイル１１の中心がトラッキング・フォーカシング用駆動マグネット１３に対して右方にずれているため、フォーカシング駆動コイル１１の左方に駆動力が発生してレンズホルダ３が傾斜しようとする。
【００３３】
このとき、フォーカシング駆動コイル１１の右方の辺１１ｄが補正マグネット１４に接近して間隔ｇ２が狭くなり、補正マグネット１４との間に磁気的作用が発生してフォーカシング駆動コイル１１の右方を上昇させる。この結果、レンズホルダ３の傾斜が補正マグネット１４によって補正され、レンズホルダ３および対物レンズ２の光軸を適正な状態に補正することができる。
【００３４】
図４は、フォーカシング駆動コイル１１に制御信号に応じた電流を通電したときに、フォーカシング駆動コイル１１を上昇させる場合について説明したが、フォーカシング方向Ｆｏへの駆動制御としては下降させる場合もある。この場合には、フォーカシング駆動コイル１１に通電する電流の向きが上昇させる場合と反対の方向になることから、補正マグネット１４との間の磁気的作用も反対の方向になる。従って、フォーカシング駆動コイル１１に通電する電流の向きに応じて補正マグネット１４によるレンズホルダ３の補正が行われる。
【００３５】
図５は、本発明の第２の実施形態を示し、レンズホルダ３を矢印Ｔｉで示すチルト方向に駆動可能に構成した対物レンズ駆動機構である。尚、前述した図１および図２によって示す第１の実施形態の対物レンズ駆動機構１と同符号は同部品を示し、その詳細な説明は省略する。
【００３６】
次に、図５に示す対物レンズ駆動機構１は、対物レンズ２を保持しているレンズホルダ３を６本のワイヤによって支持すると共に、レンズホルダ３をフォーカシング方向Ｆｏおよびトラッキング方向Ｔｒに駆動することに加え、レンズホルダ３を矢印Ｔｉで示すチルト方向に駆動するための磁気駆動機構を有している。上記６本のワイヤは、３本のワイヤ４、５、３１の組と、ワイヤ６、７、３２（ワイヤ７は図示しない）の組をレンズホルダ３のトラッキング方向の両側に左右対称に配置されている。この各組のフォーカシング方向の上側に配置された２本ずつのワイヤ４、３１およびワイヤ６、３２は、各々近接させて一対のワイヤ組を構成し、これらワイヤ組のバネ定数が、各々ワイヤ５および７のバネ定数とほぼ等しくなるように設定することによって複合ワイヤ３０を構成している。各組のワイヤ３１、３２は、後述するチルト駆動コイル２２へ通電するための電流路を構成している。
【００３７】
一方、磁気駆動機構として、レンズホルダ３のトラッキング方向の両側には、一対のチルト用駆動コイル２２が左右対称に配置されている。また、ホルダ支持部材１０には、チルト用駆動コイル２２に対向する一対のフォーカシング・チルト用駆動マグネット１４を備えている。このフォーカシング・チルト用駆動マグネット１４は、レンズホルダ３に対してトラッキング方向Ｔｒの外側でホルダ支持部材１０の底板から起立形成した外ヨーク１７の内面に固着されている。さらに、ホルダ支持部材１０には、フォーカシング・チルト用駆動マグネット１４に対向させた内ヨーク２３が起立形成されている。
【００３８】
このように構成した対物レンズ駆動機構１において、フォーカシング駆動コイル１１はフォーカシング・チルト用駆動マグネット１４と、トラッキング・フォーカシング用駆動マグネット１３に対向させ、フォーカシング駆動コイル１１に所定の電流がワイヤを介して通電されることにより、レンズホルダ３をフォーカシング方向Ｆｏに駆動することができる。チルト用駆動コイル２２は、フォーカシング・チルト用駆動マグネット１４に対向しており、チルト用駆動コイル２２に所定の電流がワイヤ３１、３２を介して通電されることにより、レンズホルダ３をチルト方向Ｔｉに駆動するようにしている。
【００３９】
即ち、トラッキング駆動コイル１２に制御信号に応じた電流を通電することによりレンズホルダ３をトラッキング方向Ｔｒに移動させた状態からフォーカシング駆動コイル１１に制御信号に応じた電流を通電すると、レンズホルダ３が例えば上方向に移動するように駆動される。このとき、フォーカシング駆動コイル１１が片方にずれていると、トラッキング・フォーカシング駆動マグネット１３に対向するフォーカシング駆動コイル１１の右方に駆動力が発生することによって上昇し、レンズホルダ３を傾斜させようとする。
【００４０】
この状態において、フォーカシング駆動コイル１１が片方に移動したことにより、フォーカシング駆動コイル１１の片方の辺とフォーカシング・チルト用駆動マグネット１４ａとが接近して間隔が狭くなる。このため、フォーカシング駆動コイル１１に通電する電流によって補正マグネット１４との間に磁気的作用が発生してフォーカシング駆動コイル１１の左方を上昇させる。このとき、フォーカシング駆動コイル１１の他の片方がフォーカシング・チルト用駆動マグネット１４ａとの磁気作用によって上昇するので、レンズホルダ３は傾斜することなく制御信号に応じたフォーカシング駆動を行うことができる。
【００４１】
図６は、本発明の第３の実施形態を示し、薄型に構成された対物レンズ駆動機構に本発明を適用したものである。図６に示す対物レンズ駆動機構５０は、対物レンズ５１を保持しているレンズホルダ５２と、レンズホルダ５２を４本のワイヤ５３、５４、５５、５６（ワイヤ５６は図示しない）で支持しているホルダ支持部材５７と、レンズホルダ５２を矢印Ｔｒで示すトラッキング方向、および矢印Ｆｏで示すフォーカシング方向に駆動するための磁気駆動機構を有している。ワイヤ５３、５４、５５・・は、後述するフォーカシング駆動コイル５８、およびトラッキング駆動コイル５９へ通電するための電流路を構成している。
【００４２】
磁気駆動機構は、レンズホルダ５２の対物レンズ５１に隣接して配設された環状のフォーカシング駆動コイル５８と、フォーカシング駆動コイル５８の対物レンズ５１側の側面に貼付された平面コイルからなるトラッキング用駆動コイル５９とを備えている。フォーカシング駆動コイル５８は平面四角形の環状に巻回されているため、フォーカシング駆動コイル５８には平面状の４辺が形成される。このうちの対物レンズ５１側の一辺には、一対のトラッキング・フォーカシング駆動マグネット６０を対向させている。さらに、上記一辺に直交する向きの他方の２辺には、ホルダ支持部材５７に配設した一対の補正マグネット６１を対向させている。トラッキング・フォーカシング駆動マグネット６０は、ホルダ支持部材５７に設けた略Ｌ字状に形成された内ヨーク６２および平面状に形成された外ヨーク６３の内面に固着されている。
【００４３】
上記補正マグネット６１は、レンズホルダ５２に対してトラッキング方向Ｔｒの外側でホルダ支持部材５２の底板から起立形成した外ヨーク６４の内面に固着されている。補正マグネット６１については、対向するヨークを設けていない。従って、フォーカシング駆動コイル５８のみに対して磁気的に作用するように開磁路に構成されている。
【００４４】
レンズホルダ５２を支持している４本のワイヤ５３、５４、５５、５６（ワイヤ５６は図示しない）は、基端側がホルダ支持部材５７に配設したプリント配線基板６５に半田によって固定されている。また、先端側は、レンズホルダ５２のトラッキング方向Ｔｒの両側に各々配設したプリント配線基板６６に半田によって固定されている。尚、４本のワイヤ５３、５４、５５、５６の固定は、他の周知の固定手段によって固定しても良い。但し、フォーカシング駆動コイル５８およびトラッキング駆動コイル５９へ通電するための電流路を構成しているので、他の固定手段によって固定した場合であっても、各ワイヤへの通電手段は必要となる。
【００４５】
このように構成した対物レンズ駆動機構５０において、フォーカシング駆動コイル５８はトラッキング・フォーカシング駆動マグネット６０と補正マグネット６１に対向させ、フォーカシング駆動コイル６０に所定の電流がワイヤを介して通電されることにより、レンズホルダ５２をフォーカシング方向Ｆｏに駆動することができる。
【００４６】
トラッキング駆動コイル５９は、トラッキング・フォーカシング用駆動マグネット６０に対向していて、トラッキング駆動コイル５９に所定の電流がワイヤを介して通電されることにより、レンズホルダ５２をトラッキング方向Ｔｒに駆動することができる。
【００４７】
次に、図６に示した第３の実施形態からなる光ヘッド装置の動作を説明する。トラッキング駆動コイル５９に制御信号に応じた電流を通電することによりレンズホルダ５２をトラッキング方向Ｔｒの一方側に移動させたときに、フォーカシング駆動コイル５８に制御信号に応じた電流を通電すると、フォーカシング駆動コイル５８の駆動中心がトラッキング・フォーカシング用駆動マグネット６０に対してずれているため、フォーカシング駆動コイル５８の他方側に駆動力が発生してレンズホルダ５２が傾斜しようとして一方側が見かけ上下降した状態となる。
【００４８】
このとき、フォーカシング駆動コイル５８の一方の辺が補正マグネット６１に接近して間隔が狭くなり、補正マグネット６１との間に磁気的作用が発生してフォーカシング駆動コイル５８の一方側を上昇させる。この結果、レンズホルダ５２の傾斜が補正マグネット６１によって補正され、レンズホルダ５２および対物レンズ５１の光軸を適正な状態に補正することができる。従って、レンズホルダ５２は傾斜することなく制御信号に応じたフォーカシング駆動を行うことができる。上述した動作は、トラッキング駆動コイル５９に制御信号に応じた電流を通電することによりレンズホルダ５２をトラッキング方向Ｔｒの他方側に移動させたときにも、補正マグネット６１によって傾斜を補正することができる。
【００４９】
上述したように、補正マグネット６１は開磁路に構成されていて、フォーカシング駆動コイル５８のみに対して磁気的に作用する。このため、レンズホルダ５２のトラッキング方向Ｔｒへの移動量に応じた補正が可能となる。つまり、フォーカシング駆動コイル５８のと補正マグネット６１との間隔が小さいときは、フォーカシング駆動コイル５８が受ける補正マグネット６１の磁束密度が大きいので、大きな補正量になり、間隔が小さいときは、磁束密度が小さいので、小さな補正量になる。従って、レンズホルダ５２は、トラッキング方向Ｔｒの位置に応じて適正な補正ができるので、レンズホルダ３の姿勢の変化を著しく小さくすることが可能となる。
【００５０】
以上、本発明者によってなされた発明の実施形態を具体的に説明したが、本発明は上記実施形態に限定されるものではなく、その要旨を逸脱しない範囲で種々変形可能であるというのはいうまでもない。例えば、対物レンズ駆動機構の構成は、前述の態様に限定されることなく、レンズホルダがホルダ支持部材に設けた固定軸に支持される軸摺動型の対物レンズ駆動機構であっても良い。軸摺動型においては、構造上から固定軸によってレンズホルダの傾斜が抑制される。ところが、固定軸とレンズホルダの孔との間に所定のクリアランスを有しているため、この分の傾斜が発生することから、補正マグネットによる補正が有効となる。また、前述した実施形態では、レンズホルダを略立方体に形成し、フォーカシング駆動コイルを四角形の環状に形成したが、レンズホルダを略円筒状の形成し、フォーカシング駆動コイルを円筒状に形成しても良い。
【００５１】
【発明の効果】
以上述べたように、本発明による光ヘッド装置は、レンズホルダの胴部周囲に環状に巻回したフォーカシング駆動コイルのトラッキング方向の両側に、開磁路を構成する一対の補正マグネットを対向させて配設したので、この補正マグネットとの磁気的作用によりレンズホルダの姿勢を補正することができ、この結果、対物レンズの光軸をほぼ一定に維持することができる。また、補正マグネットを開磁路に構成していることから、フォーカシング駆動コイルとの間隔に応じて補正力が変化するので、レンズホルダのトラッキング方向への移動量に応じて適正に補正することができる。さらに、一対の補正マグネットを対向させて配設するだけであり、簡易かつ安価に構成することができる。
【図面の簡単な説明】
【図１】本発明の第１の実施形態にかかる光ヘッド装置の対物レンズ駆動機構を示す斜視図である。
【図２】図１に示された対物レンズ駆動機構を示す平面図である。
【図３】本発明の実施形態にかかる光ヘッド装置を示す正面図である。
【図４】（Ａ）（Ｂ）は、本発明の実施形態にかかる光ヘッド装置の動作を示す説明図である。
【図５】本発明の第２の実施形態にかかる光ヘッド装置の対物レンズ駆動機構を示す斜視図である。
【図６】本発明の第３の実施形態にかかる光ヘッド装置の対物レンズ駆動機構を示す斜視図である。
【図７】従来における光ヘッド装置の要部を示す正面図である。
【図８】図５における光ヘッド装置の異常状態を示す正面図である。
【符号の説明】
１              対物レンズ駆動機構
２              対物レンズ
３              レンズホルダ
４、５、６、７  ワイヤ
１０            ホルダ支持部材
１１            フォーカシング駆動コイル
１１ａ、１１ｂ  一方の辺
１１ｃ、１１ｄ  他方の辺
１２            トラッキング駆動コイル
１３            トラッキング・フォーカシング駆動マグネット
１４            補正マグネット
Ｆｏ            フォーカシング方向
Ｔｒ            トラッキング方向
Ｏ              中心
【図１】
2004326914.tif 000003
【図２】
2004326914.tif 000004
【図３】
2004326914.tif 000005
【図４】
2004326914.tif 000006
【図５】
2004326914.tif 000007
【図６】
2004326914.tif 000008
【図７】
2004326914.tif 000009
【図８】
2004326914.tif 000010